(57)【特許請求の範囲】
【請求項１】
データの入出力を互いに排他的に行う第１インターフェース及び第２インターフェース、データが記憶される記憶部、及び前記第１インターフェースから入力されたデータを処理して前記記憶部に出力する演算処理部を有するＩＣチップと、
非接触によってデータを少なくとも受信し、受信したデータを前記第１インターフェースに向けて送る非接触通信用アンテナと、
伝送されてきた電力によって駆動される表示部と、
伝送されてきた電力によって動作し、前記第２インターフェースを介した前記演算処理部とのデータの入出力が可能になると、前記記憶部に記憶されているデータを取得し、取得したデータを基に前記表示部の表示内容を制御する制御部と、
非接触によって給電されて、給電された電力を前記表示部と前記制御部とに伝送する電力伝送用アンテナと、
制御部に給電可能な内蔵電源と、
前記内蔵電源から制御部に給電が可能な状態と、給電が切断された状態とを切り換える第１の切り換え部と、
を有し、前記非接触通信用アンテナから前記第１インターフェースへのデータの送信の許可と制限とを切り換える第２の切り換え部を備え、第２の切り換え部は、予め設定された条件を満たしたときに前記データの送信の許可状態を制限し、前記第２の切り換え部は物理スイッチを押圧し、第２の切り換えがＯＮとなるたびに表示内容を示す情報を参照して表示内容を切り替えることを特徴とする非接触通信媒体。
【請求項２】
前記制御部は、
非接触によって給電されているかを判断する手段と、
前記内蔵電源から制御部に給電が可能な状態において前記内蔵電源からの給電を遮断する手段と、を有することを特徴とする請求項１に記載の非接触通信媒体。
【請求項３】
前記演算処理部は、前記第１インターフェースから入力されたデータに対し予め設定された演算処理を施して前記記憶部に出力し、
前記制御部は、前記記憶部から取得した前記演算処理部が前記演算処理を施したデータを基に、前記表示部の表示内容を制御することを特徴とする請求項１又は２に記載の非接触通信媒体。
【請求項４】
前記表示部は、前記電力の伝送が停止されると表示内容を保持することを特徴とする請求項１乃至３の何れか１項に記載の非接触通信媒体。
【請求項５】
前記非接触通信用アンテナは、前記電力伝送用アンテナを兼ねることを特徴とする請求項１乃至４の何れか１項に記載の非接触通信媒体。
【請求項６】
前記制御部は、前記第２の切り換え部が前記データの送信の許可状態を制限したときに前記第２インターフェースに電力を供給して前記第２インターフェースをデータの入出力が可能な状態にすることを特徴とする請求項１乃至５の何れか１項に記載の非接触通信媒体。
【発明の詳細な説明】
【技術分野】
【０００１】
本発明は、非接触によって外部との通信を行う非接触通信媒体に関する。
【背景技術】
【０００２】
従来、ディスプレイ付のＩＣカードとしては、カード型ワンタイムパスワード生成器がある。例えば特許文献１のＩＣカードでは、内部電源（バッテリー）から電源を供給し表示部を駆動している。このようにバッテリーを利用した表示機能付カードでは、当然ながらバッテリー容量が切れると、表示書換えが不能となる。
【０００３】
一方、非接触通信の際のリーダ／ライタ装置の出力電磁波を電力に利用し、内部電源なしで表示を行うことが可能な表示機能付ＩＣカードも知られている（特許文献２）。このような表示機能付カードでは、バッテリーレスで記憶内容を表示させることができるが、電源となるリーダ／ライタ装置から離れると、表示書換えができなくなってしまう。
【先行技術文献】
【特許文献】
【０００４】
【特許文献１】特開２０１０−２５７４２２号公報
【特許文献２】特許第４８５４９１４号
【発明の概要】
【発明が解決しようとする課題】
【０００５】
そこで、本発明の目的は、内蔵電源によりリーダ／ライタ装置から離れた場合でも内容表示書換えが可能である一方、リーダ／ライタ装置から電力を得られる場合には内蔵電源を使用することなしに表示書換えを行うことで、効率的に表示部を駆動できるＩＣカードを提供することである。
【課題を解決するための手段】
【０００６】
前記課題を解決するために、本発明の一態様では、データの入出力を互いに排他的に行う第１インターフェース及び第２インターフェース、データが記憶される記憶部、及び前記第１インターフェースから入力されたデータを処理して前記記憶部に出力する演算処理部を有するＩＣチップと、非接触によってデータを少なくとも受信し、受信したデータを前記第１インターフェースに向けて送る非接触通信用アンテナと、伝送されてきた電力によって駆動される表示部と、伝送されてきた電力によって動作し、前記第２インターフェースを介した前記演算処理部とのデータの入出力が可能になると、前記記憶部に記憶されているデータを取得し、取得したデータを基に前記表示部の表示内容を制御する制御部と、非接触によって給電されて、給電された電力を前記表示部と前記制御部とに伝送する電力伝送用アンテナと、制御部に給電可能な内蔵電源と、前記内蔵電源から制御部に給電が可能な状態と、給電が切断された状態とを切り換える第１の切り換え部と、を有し、前記非接触通信用アンテナから前記第１インターフェースへのデータの送信の許可と制限とを切り換える第２の切り換え部を備え、第２の切り換え部は、予め設定された条件を満たしたときに前記データの送信の許可状態を制限し、前記第２の切り換え部は物理スイッチを押圧し、第２の切り換えがＯＮとなるたびに表示内容を示す情報を参照して表示内容を切り替えることを特徴とする非接触通信媒体である。
【０００７】
また、本発明の一態様では、前記制御部は、非接触によって給電されているかを判断する手段と、前記内蔵電源から制御部に給電が可能な状態において前記内蔵電源からの給電を遮断する手段と、を有することを特徴とする請求項１に記載の非接触通信媒体が好ましい。
また、本発明の一態様では、前記演算処理部は、前記第１インターフェースから入力されたデータに対し予め設定された演算処理を施して前記記憶部に出力し、前記制御部は、前記記憶部から取得した前記演算処理部が前記演算処理を施したデータを基に、前記表示部の表示内容を制御することを特徴とする請求項１又は２に記載の非接触通信媒体が好ましい。
また、本発明の一態様では、前記表示部は、前記電力の伝送が停止されると表示内容を保持することを特徴とする請求項１乃至３の何れか１項に記載の非接触通信媒体が好ましい。
また、本発明の一態様では、前記非接触通信用アンテナは、前記電力伝送用アンテナを兼ねることを特徴とする請求項１乃至４の何れか１項に記載の非接触通信媒体が好ましい。
また、本発明の一態様では、前記制御部は、前記第２の切り換え部が前記データの送信の許可状態を制限したときに前記第２インターフェースに電力を供給して前記第２インターフェースをデータの入出力が可能な状態にすることを特徴とする請求項１乃至５の何れか１項に記載の非接触通信媒体が好ましい。
【発明の効果】
【０００８】
本発明によれば、非接触通信用アンテナから第１インターフェースへのデータの送信が許可されている状態を切り換え部によって制限することで、前記送信が許可されている期間中に第１インターフェースを介して入力され記憶部に記憶されているデータを基に、電力伝送用アンテナからの電力によって駆動されている表示部の表示内容を制御できる。これによって、本発明によれば、リーダライタからの供給電力のみでバッテリーレスで表示部を駆動し、当該リーダライタからのデータを基に表示部の表示内容を制御できる。さらにリーダライタから離れている場合には、内蔵電源に切り替えて表示内容を制御することができるので、効率的にＩＣカードの表示部を駆動することができる。
【図面の簡単な説明】
【０００９】
【図１】本実施形態のＩＣカードの構成例を示すブロック図である。
【図２】本実施形態のＩＣカードの外観構成の一例を示す図である。
【図３】ＩＣカードにおけるリーダライタ上での一連の動作の一例を示すフローチャートである。
【図４】ＩＣカードにおけるリーダライタから離れた状態での一連の動作の一例を示すフローチャートである。
【図５】本実施形態の変形例のＩＣカードの構成例を示すブロック図である。
【図６】本実施形態の変形例のＩＣカードの他の構成例を示すブロック図である。
【図７】本実施形態の変形例のＩＣカードの他の構成例を示すブロック図である。
【発明を実施するための形態】
【００１０】
本発明の実施形態について図面を参照しつつ説明する。
本実施形態では、非接触通信媒体の一例としてＩＣカードを挙げている。図１は、本実施形態のＩＣカード１の構成例を示すブロック図である。
図１に示すように、ＩＣカード１は、非接触通信用アンテナ２、電力供給用アンテナ３、整流回路４、表示部５、第１のスイッチ７、制御マイコン１０、及びＩＣチップ２０、内蔵電源２６、第２のスイッチ２７を有している。
【００１１】
非接触通信用アンテナ２は、外部のリーダライタと非接触で通信を行うアンテナである。この非接触通信用アンテナ２は、外部のリーダライタから出ている電磁波を受信しエネルギーに変換し、電源をＩＣチップ２０側に供給するとともに外部のリーダライタとの非接触無線通信で生じた電流（データが変調された電流）をＩＣチップ２０側に出力する。例えば、非接触通信用アンテナ２は、巻き線アンテナやエッチングアンテナ、印刷アンテナである。そして、この非接触通信用アンテナ２は、スイッチ７のＯＮ及びＯＦＦが切り換えられることによって、ＩＣチップ２０の非接触インターフェース２１との電気的な接続状態が断続される。
【００１２】
電力供給用アンテナ３は、外部のリーダライタから出ている電磁波を受信しエネルギーに変換し、制御用マイコン１０や表示部５、ＩＣチップ２０に電力を給電するためのアンテナである。この電力供給用アンテナ３は、整流回路４に電気的に接続されている。
整流回路４は、電力供給用アンテナ３からの高周波信号を整流して直流電流（電力）を制御マイコン１０に供給する。
【００１３】
制御マイコン１０は、ＩＣカード１について各種処理を行う。この制御マイコン１０は、整流回路４から供給（伝送）される電力によって動作する。また、制御マイコン１０は、ＩＣチップ２０の接触用インターフェース２２と電気的に接続可能とされている。制御マイコン１０は、接触用インターフェース２２と電気的に接続されると、当該接触用インターフェース２２を介して非接触ＯＳ２３とでデータのやりとりを行う。また、制御マイコンから接触インターフェース２２を介してＩＣチップ２２に電力が供給される。また、制御マイコン１０は、表示部５の表示内容を制御するための表示制御部１１を有している。
【００１４】
表示制御部１１は、整流回路４から供給される電力によって表示部５に電圧を印加して表示部５を駆動する。そして、表示制御部１１は、後述のように、接触インターフェース２２を介して取得したＩＣチップ２０のメモリ２５に記憶されているデータを基に、駆動した表示部５の表示内容を制御する。
【００１５】
表示部５は、各種情報を表示する。この表示部５は、制御マイコン１０のＩ／Ｏ端子１２に接続されており、制御マイコン１０から供給される電力（電圧の印加）によって駆動される。表示部５は、不揮発性の表示装置で構成することにより電力の供給が停止されても表示内容を保持することができる。例えば、表示部５は、電気泳動方式や強誘電液晶、コレステリック液晶等の電子ペーパー、エレクトロクロミック液晶等で構成される。一方、電力が供給されている間のみ表示するのであれば、液晶、有機ＥＬ、などの表示装置を用いても良い。
【００１６】
第１のスイッチ７は、例えば押圧ボタン等の物理スイッチ６によりＯＮ及びＯＦＦの切り替えがなされる。第１のスイッチ７は制御マイコン１０に接続されており、ＯＮ／ＯＦＦの情報がスイッチ７から制御マイコン１０に送られる。
【００１７】
第１のスイッチ７は、ＯＮ／ＯＦＦの切り替えにより、ＩＣチップ２０の非接触インターフェース２１との電気的な接続状態を切り替える機能を備える。本実施形態では、非接触通信用アンテナ２とＩＣチップ２０の非接触インターフェース２１とは入出力端子それぞれによって接続されているため、このスイッチ７は、それら入出力端子間に短絡スイッチとして配置されている。これによって、スイッチ７は、押圧ボタン６が押圧されていない状態でＯＦＦとなり、入出力端子間を短絡せずに非接触通信用アンテナ２とＩＣチップ２０の非接触インターフェース２１とを電気的に接続する。これによって、非接触インターフェース２１を介して、非接触通信用アンテナ２とＩＣチップ２０の非接触ＯＳとの間でのデータのやりとりが可能になる。一方、スイッチ７は、押圧ボタン６が押圧されるとＯＮとなり、入出力端子間を短絡して非接触通信用アンテナ２とＩＣチップ２０の非接触インターフェース２１との電気的な接続状態を切断する。
【００１８】
内蔵電源２６は、制御用マイコン１０や表示部５、ＩＣチップ２０に電力を供給する。内蔵電源２６には、一次電池やリチウムイオン電池などの充電可能な各種二次電池、キャパシタ、太陽電池などを用いることができる。充電可能な内蔵電源２６を用いる場合には、整流回路を挟んで電力供給用アンテナ３と内蔵電源２６とを接続し、外部のリーダライタとの接触時に余剰電力を内蔵電源２６に充電できるようにしてもよい。
【００１９】
第２のスイッチ２７は内蔵電源２６からの電力供給状態を切り替えることができる。本実施形態では、第２のスイッチ２７は第１のスイッチ７とは別の物理スイッチ２８に接続されており、物理スイッチにより第２のスイッチ２７がオンの場合に通電し内蔵電源２６から制御用マイコン１０への電力の供給が可能となる。
【００２０】
ＩＣチップ２０は、２つのインターフェースを有している。例えば、ＩＣチップ２０は、非接触又は接触によって外部との通信を可能にするＩＣカード、いわゆるデュアルインターフェースカードに搭載される、いわゆるデュアルチップである。デュアルチップは、２つのインターフェースを介して１つのメモリにアクセスできるように構成されたＩＣチップである。なお、デュアルインターフェースカードは、複合ＩＣカード、コンビネーションＩＣカードとも称される場合がある。
【００２１】
このようなデュアルチップであるＩＣチップ２０は、非接触インターフェース２１、接触インターフェース２２、非接触ＯＳ２３、接触ＯＳ２４、及びメモリ２５を有している。
前述の通り、非接触インターフェース２１は、第１のスイッチ７のＯＮ及びＯＦＦが切り換えられることによって、非接触通信用アンテナ２との電気的な接続及び切断の状態が切り替えられる。
【００２２】
接触インターフェース２２は、ＩＣチップ２０のＩ／Ｏ端子２６に接続されて、このＩ／Ｏ端子２６を介して制御マイコン１０が接続されている。なお、後述するように、接触インターフェース２２は、表示部５を表示制御するためのデータを制御マイコン１０に出力するために使われるために、表示データ出力用インターフェースとも言える。
【００２３】
ＩＣチップ２０は、この接触インターフェース２２と外部（本実施形態では非接触通信用アンテナ２）との接続状態と、前述の非接触インターフェース２１と外部（本実施形態では制御マイコン１０）との接続状態とを、排他的に又は非同期で制御している。或いは、ＩＣチップ２０は、データの入出力が互いに排他的になるように非接触インターフェース２１及び接触インターフェース２２を制御している。これによって、接触インターフェース２２は、非接触インターフェース２１と非接触通信用アンテナ２とが電気的に接続されている場合、すなわち、非接触インターフェース２１がデータの入出力を行っている場合には、制御マイコン１０との電気的な接続が禁止される、すなわち、当該接触インターフェース２２のデータの入出力を禁止する。一方、接触インターフェース２２は、非接触インターフェース２１と非接触通信用アンテナ２とが電気的に接続されていない場合、制御マイコン１０との電気的な接続が許可される、すなわち、当該接触インターフェース２２のデータの入出力を許可する。
【００２４】
また、一般的に、デュアルインターフェースカードには、接触通信を優先する方式と最初に通信を行っているものを優先する方式（入ったもの優先の方式）とがある。接触通信を優先する方式は、たとえ非接触インターフェースが外部と通信を行っている最中でも、接触インターフェースが外部と通信を開始すると、非接触インターフェースの通信を無効とする方式である。また、最初に通信を行っているものを優先する方式は、非接触インターフェース及び接触インターフェースのうち最初に通信を開始したインターフェースの当該データの通信状態を維持する方式である。本実施形態では、ＩＣカード１は、後者の、最初に接続しているものを優先する方式を採用している。これによって、例えば、最初に非接触インターフェースが通信を開始すると、具体的には電力が供給されると、当該非接触インターフェースが通信を終了しない限り、当該非接触インターフェースの通信が維持される。つまり、本実施形態では、常に前述の排他的な制御が優先され、非接触インターフェース２１及び接触インターフェース２２の接続状態又はデータの入出力状態が制御される。
【００２５】
ここで、本実施形態では、ＩＣカード１をリーダライタにかざしたタイミングで、非接触通信用アンテナ２は、非接触インターフェース２１への電力の供給を開始し、電力供給用アンテナ３は、整流回路４を介して制御マイコン１０への電力の供給を開始する。これによって、接触インターフェース２２は、制御マイコン１０を介して電力が供給される。本実施形態では、このような状況の下、最初に非接触インターフェース２１が通信を開始するようになる（非接触通信用アンテナ２と電気的に接続されるようになる）。例えば、これは、電源確保用アンテナ３と接触インターフェース２２との間に制御マイコン１０が介在するといった構造上の理由等によって、接触インターフェース２２への電力供給タイミングが、非接触インターフェース２１への電力供給タイミングよりも遅くなるからである。また別の構成では、第１のスイッチ７がＯＦＦの状態では、制御マイコン１０から接触インターフェース２２に電力が供給されず、第１のスイッチ７がＯＮの状態となって初めて、制御マイコン１０から接触インターフェース２２に電力が供給される。
【００２６】
以上のようなことから、本実施形態では、ＩＣカード１をリーダライタにかざしたタイミングで、非接触通信用アンテナ２と非接触インターフェース２１とが先ず電気的に接続され（非接触インターフェース２１がデータの入出力を開始し）、非接触通信用アンテナ２と非接触インターフェース２１との電気的な接続状態がスイッチ７によって切断された場合に、接触インターフェース２２と制御マイコン１０とが電気的に接続される。
【００２７】
非接触ＯＳ２３は、非接触インターフェース２１から出力されるデータを基に制御及び演算処理等を行う。具体的には、非接触ＯＳ２３は、非接触インターフェース２１から出力されるデータ（電流に変調されているデータ）を処理してメモリ２５に書き込む。ここで、メモリ２５は、例えば、ＲＡＭやＲＯＭ、ＥＥＰＲＯＭ等である。
【００２８】
さらに、非接触ＯＳ２３は、メモリ２５に記憶されたデータに対して予め決められた演算処理（加減算等の演算処理）を施して、その演算処理を施したデータもメモリ２５に書き込む。例えば、非接触ＯＳ２３は、非接触インターフェース２１の出力から入出金データを取得すると、取得した入出金データを用いてメモリ２５に記憶されている残高データに対し必要な加減算を行い最終的な残高データを算出する。
【００２９】
また、非接触ＯＳ２３は、接触インターフェース２２と制御マイコン１０とが電気的に接続された状態では、クロスアクセス機能によって、メモリ２５に記憶されているデータを接触インターフェース２２を介して制御マイコン１０に出力する（掃き出す）。
【００３０】
ここで、クロスアクセス機能とは、非接触インターフェース２１から接触ＯＳ２４へのアクセスを可能とし、さらに、接触インターフェース２２から非接触ＯＳ２３へのアクセスを可能とする機能である。
【００３１】
そして、本実施形態では、このクロスアクセス機能を前提として、制御マイコン１０が、予め設定した時間間隔（例えば５００ｍｓ）で接触インターフェース２２に非接触ＯＳ２３へのクロスアクセスを誘導する指示コマンドを出力する。このようなことから、非接触インターフェース２１と非接触通信用アンテナ２との電気的な接続状態が切断され、排他的な制御によって、接触インターフェース２２と制御マイコン１０とが電気的に接続されると、接触インターフェース２２は、制御マイコン１０からの指示コマンドが入力されたタイミングで非接触ＯＳ２３と制御マイコン１０とを電気的に接続する。
【００３２】
よって、非接触インターフェース２１が外部と電気的に接続された状態では、非接触ＯＳ２３がメモリ２５にデータを書き込む等の処理を実行し、接触インターフェース２２が外部と電気的に接続された状態でも、非接触ＯＳ２３が処理を実行する。そのため、本実施形態では、実際には、接触ＯＳ２４がメモリ２５にデータを書き込む等の処理を実行することはない。すなわち、接触ＯＳ２４は、非接触ＯＳ２３と同様な機能として、接触インターフェース２２から出力される電流を基に制御及び演算処理等を行う機能を有しているが、本実施形態では、そのような処理等を行うことがない。
【００３３】
図２は、本実施形態のＩＣカード１の外観構成の一例を示す図である。ＩＣカード１は、薄型カード形状をなしており、表示部５の表示面が外部に露出し、表面に押圧可能に物理スイッチ６及び２８が配置されている。押圧ボタン６、２８は、不揮発性の表示装置を用いる場合には、押圧している間のみスイッチ６、２８がONとなる。揮発性の表示装置を用いる場合には、押圧している間のみスイッチ６、２８がONとなるようにしても良いし、一回の押圧ごとにスイッチ６、２８のONとOFFが切り替わるようにしても良い。
【００３４】
（動作、作用等）
次に、ＩＣカード１における動作、及びその作用等を図３及び図４を参照しつつ説明する。
図３は、リーダライタにかざされた場合のＩＣカード１における一連の動作を示すフローチャートである。
ＩＣカード１は、リーダライタにかざされると、非接触通信用アンテナ２がリーダライタとの間で非接触無線通信を開始する（ステップＳ１）。これによって、ＩＣカード１では、非接触通信用アンテナ２からのデータが、非接触インターフェース２１を介してＩＣチップ２０内に入力されてメモリ２５に記憶される。また、ＩＣカード１では、非接触無線通信の開始と同時に、リーダライタから電源確保用アンテナ３に供給された電力が制御マイコン１０に入力される。これによって、非接触通信用アンテナ２がリーダライタとの間で非接触無線通信を開始すると同時に、制御マイコン１０が起動される（ステップＳ２）。そして、制御マイコン１０は、接触インターフェース２２に非接触ＯＳ２３へのクロスアクセスを誘導する指示コマンドの出力を開始する。このとき、制御マイコン１０は、指示コマンドの出力を予め設定した時間間隔（例えば５００ｍｓ）で行う。
【００３５】
そして、ＩＣカード１では、押圧ボタン６が押圧されスイッチ７がＯＮに切り換えられると、非接触通信用アンテナ２と非接触インターフェース２１との電気的な接続状態が切断されるために、排他的な接続制御によって、接触インターフェース２２と制御マイコン１０とが電気的に接続される（ステップＳ３、ステップＳ４）。これによって、ＩＣカード１では、制御マイコン１０によって接触インターフェース２２が印加された状態になる。その結果、接触インターフェース２２に対する前記指示コマンドが有効となるために、制御マイコン１０は、クロスアクセスによって、接触インターフェース２２を介してメモリ２５へのアクセスが可能になる（ステップＳ５）。これによって、制御マイコン１０は、メモリ２５に記憶されているデータを基に表示部５の表示制御できるようになる（ステップＳ６）。
【００３６】
また、押圧ボタン６への押圧操作が解除されスイッチ７がＯＦＦになったとしても、制御マイコン１０によるこのような表示部５の表示制御は維持される。これは、ＩＣチップ２０における前述の排他的な制御の下、スイッチ７のＯＦＦによって非接触通信用アンテナ２と非接触インターフェース２１とが電気的に接続されたとしても当該電気的な接続は有効とされず、接触インターフェース２２と制御マイコン１０との電気的な接続が維持されるからである（すなわち、接触インターフェース２２のデータの入出力が有効とされ維持されるからである）。
【００３７】
ここで、前述の実施形態では、非接触インターフェース２１は、例えば、第１インターフェースを構成する。また、接触インターフェース２２は、例えば、第２インターフェースを構成する。また、非接触ＯＳ２３は、例えば、演算処理部を構成する。また、押圧ボタン６及びスイッチ７は、例えば、切り換え部を構成する。ここで、切り換え部は、非接触通信用アンテナから第１インターフェースへのデータの送信の許可と制限（禁止も含む）とを切り換える。また、電源確保用アンテナ３は、例えば、電力伝送用アンテナを構成する。また、制御マイコン１０又は表示制御部１１は、例えば、制御部を構成する。
【００３８】
図４は、リーダライタから離れた状態でのＩＣカード１における一連の動作を示すフローチャートである。
リーダライタから離れた状態では外部から電力が供給されないので制御マイコンは休止している。物理スイッチ２８によりスイッチ２７がＯＮになると、内蔵電源２６と制御マイコン１０が接続されて制御マイコンに電力が供給され、制御マイコンが起動する（ステップＳ１１、ステップＳ１２）。制御マイコン１０は接触インターフェース２２に印加することで、接触インターフェースを介してメモリにアクセスすることが可能になる（ステップＳ５、ステップＳ６）。制御マイコン１０は表示部に表示制御命令を送信し、メモリ２５から読み出したデータを表示部に出力することで、表示部にデータ内容を表示することができる（ステップＳ１５）。
【００３９】
内蔵電源２６と制御マイコン１０との接続は、制御マイコン１０から表示部に表示制御命令を送信した後切断される。切断は、図４に示すように、制御マイコンが起動や非接触キャリア検出を行ってから５００ｍｓ、１０００ｍｓなどの所定の時間でスイッチを制御してＯＦＦにするか、キャパシタ等を用いて機械的に所定時間で電力の供給が停止するようにする。
【００４０】
ＩＣカード１がリーダライタ上にある状態では、物理スイッチ２８によりスイッチ２７がＯＮになった場合でも、内蔵電源２６から電力から供給せず電源確保用アンテナ３から電力を供給しても良い。スイッチ２７をＯＮにする段階で電源確保用アンテナ３から制御マイコン１０に電力が供給されている場合には制御マイコン１０は内蔵電源２６の電力供給を遮断して電源確保用アンテナ３からの供給電力で表示等を行う。具体的には、電源確保用アンテナ３の生成起電力を電圧検出器で検出し、この生成起電力が一定の起電力（例えば内蔵電源の起電力と同等）を備えている場合には内蔵電源による電力供給は不要と判断する。
【００４１】
また、ＩＣカード１がリーダライタ上にある状態で物理スイッチ６又は物理スイッチ２８を押圧したときの表示内容が、押した物理スイッチによって変わる実施形態としても良い。例えば後述のようにスイッチ７のＯＮの信号を制御マイコン１０の入力信号として伝送できる構成として物理スイッチ６の押圧状態を確認する、あるいは電圧検出器で内蔵電源２６の起電力を検出し、物理スイッチ２８の押圧状態を確認する。
（本実施形態における効果）
【００４２】
非接触ＯＳ２３は、非接触インターフェース２１から入力されたデータに対し予め設定された演算処理を施してメモリ２５に記憶する。そして、制御マイコン１０は、メモリ２５から取得した非接触ＯＳ２３が演算処理を施したデータを基に表示部５の表示内容を制御する。
これによって、本実施形態では、非接触ＯＳ２３で演算処理されたデータを基に表示部５の表示内容を制御できる。
また、押圧ボタン６及びスイッチ７は、外部からの操作に応じてデータの入出力の許可と禁止の切り換えを行う。
【００４３】
これによって、本実施形態では、使用者が操作することで、使用者が意図するタイミングで表示部５への表示を行うことができる。よって、本実施形態では、使用者は、リーダライタにＩＣカード１をかざしてから押圧ボタン６を押すことで、ＩＣカード１の表示部５に残高等の情報を表示させることができる。
【００４４】
また、内蔵電源を備えることで、外部から電力供給がない場合でも表示内容を切り替えることができる。一方、リーダライタ上で表示を行う場合には電力供給用アンテナから供給された電力で表示を行うため、効率的に電力源を使用して表示部の操作を行うことができる。
【００４５】
また、本実施形態では、ＩＣチップ２０としてデュアルチップを流用することができる。そのため、本実施形態では、コストを抑えてＩＣカード１を提供できる。
【００４６】
また、デュアルチップは、ＦｅｌｉＣａ等での高度のセキュリティを実現しているセキュアチップである。そのため、本実施形態のＩＣカード１は、ＩＣチップ２０としてデュアルチップを流用することで、高度なセキュリティを実現することができる。
（本実施形態の変形例）
【００４７】
本実施形態では、ＩＣチップ２０の例としてデュアルチップを挙げている。しかし、ＩＣチップ２０は、デュアルチップに限定されるものではなく、２つのインターフェースを有し、一方が非接触インターフェース２１となり、他方が非接触インターフェース２１と排他的に動作が制御されるインターフェースとなっていれば良い。また、演算処理部２３についても接触ＯＳ及び非接触ＯＳを備えた構成に限られるものではなく、非接触インターフェースから非接触通信でき、非接触インターフェース及び他方のインターフェースの両方からメモリにアクセスできれば良い。
また、本実施形態では、非接触通信用アンテナ２と電力供給用アンテナ３とが一体として構成されても良い。
図５は、その一例となる、非接触通信用アンテナ２が電力供給用アンテナを兼ねている構成例を示す図である。
【００４８】
図５に示すように、非接触通信用アンテナ２は、非接触インターフェース２１に接続され、かつ整流回路４に接続される。これによって、非接触通信用アンテナ２は、整流回路４に電流を供給しながら、スイッチ７のＯＮ及びＯＦＦが切り換えられて非接触インターフェース２１との電気的な接続が断続される。
【００４９】
また、本実施形態では、制御マイコン１０及びＩＣチップ２０の何れかのメモリをデータの演算処理用に使用しても良い。すなわち、前述の実施形態では、ＩＣチップ２０側のデータを演算しメモリ２５に記憶しているが、実施形態の変形例では、制御マイコン１０側でデータを演算し制御マイコン１０のメモリに記憶しても良い。この場合、制御マイコン１０は、接触インターフェース２２と電気的に接続されたタイミングでＩＣチップ２０のメモリ２５から取得したデータを演算処理し、自己のメモリにその演算結果のデータを記憶する。そして、制御マイコン１０は、自己のメモリに記憶したデータを基に表示部５を駆動し表示内容を制御する。
このように、本実施形態では、非接触通信用アンテナが電力供給用アンテナを兼ねることで、部品点数を抑えてＩＣカード１を小型化できる。
また、本実施形態では、ＩＣチップ２０内に制御マイコン１０を含み、ＩＣチップ２０と制御マイコン１０とが一体化されていても良い。
【００５０】
また、本実施形態では、制御マイコン１０は、クロスアクセスを誘導する指示コマンドの出力が予め設定した時間間隔で行っている。この場合に、物理ボタン６の押圧操作に応じてスイッチ７のＯＮ及びＯＦＦの信号を採用し、制御マイコン１０への入力信号として利用しても良い。
図６は、その一例となる、スイッチ７のＯＮの信号を制御マイコン１０の入力信号として利用した構成例を示す図である。
押圧ボタン６が押圧されスイッチ７がＯＮに切り換えられると、非接触通信用アンテナ２と非接触インターフェース２１との電気的な接続状態が切断される。そして、図６に示すような押圧ボタン６と制御マイコン１０とが電気的に接続されている構成によって、その切断タイミングで、スイッチ７のＯＮの信号（又は押圧ボタン６が押圧操作された信号）が制御マイコン１０に入力される。制御マイコン１０は、このスイッチ７のＯＮの信号を入力信号として利用し、その信号の入力タイミングで、接触インターフェース２２に電圧を印加する（電力を供給する）。これによって、接触インターフェース２２と制御マイコン１０とが電気的に初めて接続される。その結果、接触インターフェース２２に対する前記指示コマンドが有効となるために、制御マイコン１０は、クロスアクセスによって、接触インターフェース２２を介してメモリ２５へのアクセスが可能になる。
【００５１】
また、本実施形態では、表示部５は、ＬＣＤ（Liquid Crystal Display）等によって構成されても良い。この場合、ＬＣＤ等は、電力供給がなくなると表示が消えてしまうため、スイッチ７、２８がＯＮのときのみ表示部５の表示が維持されることになる。
【００５２】
また、本実施形態では、スイッチ７は、物理スイッチでも良いが、ソフトウェアとして実現されるソフトスイッチでも良い。例えば、本実施形態の変形例では、非接触通信用アンテナ２の共振周波数をシフトさせることで、リーダライタと非接触通信用アンテナ２との間の通信を切断し、非接触通信用アンテナ２と非接触インターフェース２１との電気的な接続状態を切断する。また、このような非接触通信用アンテナ２と非接触インターフェース２１との接続状態の切断は、予め設定された条件を満たしたときに行う。この場合、本実施形態では、適切なタイミングで自動的に表示部５への表示を行うことができる。
【００５３】
ここで、共振周波数をシフトさせる方法として、コンデンサ（数ｐＦ〜数十ｐＦ程度のコンデンサ）をスイッチに並列に接続する方法が挙げられる。また、予め設定された条件として、非接触通信用アンテナ２と非接触インターフェース２１とが電気的に接続された時点から予め設定された時間（例えば１０ｍｓ）が経過したこと、又はリーダライタから読み込んだデータに対する非接触ＯＳ２３の処理（例えばメモリ２５への記憶処理）が終了したこと等が挙げられる。
【００５４】
また、不揮発性の表示装置を用いる場合、表示部にデータ内容を表示／非表示の情報をメモリに記憶しておき、表示／非表示の情報を参照して非表示の状態であればデータ内容を表示する表示制御命令を表示部に送信し、表示の状態であれば表示内容を消去することで、スイッチ７、２７の切り替えによって表示／非表示を切り替えることができるようにしてもよい。表示内容を切り替えると共に、制御マイコン内又はＩＣチップ内のメモリに表示／非表示を示す情報を更新する。さらには、表示部５での表示内容を示す情報（識別情報）を同様にメモリに記憶しておき、物理スイッチ２８を押圧し、スイッチ２７がＯＮとなるたびに表示内容を示す情報を参照して残高やポイント、メッセージなどの表示内容を切り替えるようにしても良い。表示内容を切り替えると共に、メモリに新たな表示内容を示す情報を記憶する。
【００５５】
さらに、物理スイッチ２８の押圧操作を制御マイコン１０への入力信号として利用しても良い。図７は、その一例となる、物理スイッチ２８の押圧操作の信号を制御マイコン１０の入力信号として利用した構成例を示す図である。この構成に拠れば、第２のスイッチ２７のＯＮ、ＯＦＦと独立して制御マイコン１０へ入力信号が送れることができる。そのため、電力供給用アンテナ３から電力が供給され、内蔵電源２６が制御用マイコン１０から切断されている場合でも物理スイッチの操作によって表示内容を切り替えることが可能である。また、一定期間内に物理スイッチ２８が押圧された回数で、表示内容が変更できるように構成することも可能である。
【００５６】
また、本実施形態は、ＩＣカード１に適用されることに限定されるものではない。例えば、本実施形態は、ＩＣタグや携帯電話に適用されても良い。
【符号の説明】
【００５７】
１  ＩＣカード、２  非接触通信用アンテナ、３  電力供給用アンテナ、４  整流回路、５  表示部、６  押圧ボタン、７  第１のスイッチ、１０  制御マイコン、１１  表示制御部、２０  ＩＣチップ、２１  非接触インターフェース、２２  接触インターフェース、２３  非接触ＯＳ  ２４  接触ＯＳ、２５  メモリ、２６  内蔵電源、２７  第２のスイッチ、２８  物理スイッチ
【図１】
0005998664.tif 000002
【図２】
0005998664.tif 000003
【図３】
0005998664.tif 000004
【図４】
0005998664.tif 000005
【図５】
0005998664.tif 000006
【図６】
0005998664.tif 000007
【図７】
0005998664.tif 000008